(57)【要約】    【目的】入水以前には、首あるいは手首が締めつけられることなく、着水時には水のドライスーツへの浸入が防止可能なドライスーツを提供することを目的とする。    【構成】身体部分を被うドライスーツ本体１と前記ドライスーツ本体の手首部分および首部分より水が浸入しないように前記手首部分および首部分に設けられたシールゴム２，３とを備えたドライスーツにおいて、前記首部分の首用シールゴム２は、開口部の内径が被着者の首の太さより若干大きな径を備えた首装着部２２と前記首装着部の外周に前記首装着部を首に密着させるための緊締バンド２３を設けたことを特徴とする。【選択図】  図２
2006299483.tif 000002
【特許請求の範囲】
【請求項１】
身体部分を被うドライスーツ本体と前記ドライスーツ本体の手首部分および首部分より水が浸入しないように前記手首部分および首部分に設けられたシールゴムとを備えたドライスーツにおいて、前記首部分の首用シールゴムは、開口部の内径が被着者の首の太さより若干大きな径を備えた首装着部と前記首装着部の外周に前記首装着部を首に密着させるための緊締バンドを設けたことを特徴とするドライスーツ。
【請求項２】
前記首用シールゴムは截頭円すい状の取付部と前記取付部に接続する傾斜の小さい截頭円すい状のあるいは円筒状の首装着部を備えていることを特徴とする請求項１記載のドライスーツ。
【請求項３】
前記緊締バンドは首装着部の外周に全周にわたって設けられており、前記バンドの一方の端部は前記首装着部の外周に固定されており、他方の自由端内面、および一方の端部の外面に設けられた面ファスナーによって締結可能になっている請求項１又は２記載のドライスーツ。
【請求項４】
前記首装着部は顎部分の直下に達する程度の高さであり、前記緊締バンドは被着者の喉仏付近を捲回可能になっている請求項１から３記載のいずれかのドライスーツ。
【請求項５】
前記手首部分の手首用シールゴムは、開口部の内径が被着者の手首の太さより若干大きな径を備えた手首装着部と前記手首装着部の外周に前記手首装着部を手首に密着させるための緊締バンドを設けたことを特徴とする請求項１から４記載のいずれかのドライスーツ。
【請求項６】
前記手首用シールゴムは円筒状の取付部と手首に密着するためのほぼ截頭円筒状の手首装着部を備えていることを特徴とする請求項１から５記載のいずれかのドライスーツ。
【請求項７】
前記緊締バンドの一方の端部は手首装着部に固定されており、バンド止めを挿通して伸長する他方の自由端を折り返して、面ファスナーで貼着することにより手首装着部を手首に密着可能にしていることを特徴とする請求項５又は６記載のドライスーツ。
【請求項８】
前記首用シールゴムおよび手首用シールゴムの硬度は６程度（ＳＲＩＳ  Ｃ）である請求項１から７記載のドライスーツ。
【請求項９】
ドライスーツ本体に設けられた取付ゴムシートに前記取付部を接着剤により貼着することにより首用又は手首用シールゴムを前記ドライスーツ本体に取り付けることを特徴とする請求項１から８記載のいずれかのドライスーツ。
【発明の詳細な説明】
【技術分野】
【０００１】
本発明はドライスーツ、更に詳細には寒冷地を飛行するパイロットが着用するドライスーツに関する。
【背景技術】
【０００２】
寒冷地を飛行するパイロットは、防水、難燃性のドライスーツを着用し、その上に耐Ｇ服を着用するのが一般的である。非常事態で着水した場合に、前記ドライスーツにより水の浸入を防止し、かつ保温して、救助を待つことになる。
【０００３】
このようなドライスーツは、一般のドライスーツと異なり、長時間着用したままであることが多いため、たとえば、待機中あるいは飛行体の搭乗中は、締めつけられずに楽に、ストレスを感じることなく、待機、操縦可能であることが要求される。特に激しい機動を要求される軍用機においては、レーダーなどのディスプレイばかりでなく、対象機を目視することが必要とされる場合があり、この場合には首を回転させて、周囲を監視する必要がある。このとき容易に周囲を見渡せるようにしてあることが好ましい。
【０００４】
従来、ドライスーツの首周りは、図６に示すように、ドライスーツ本体に取り付けるための、截頭円すい状の取付部７１と咽仏付近に余裕を持たせるための膨らみ部７２とこの膨らみ部７２より顎部分まで伸長する密着部７３を備えたシールゴム７が設けられている。そして前記密着部７３が首に密着してドライスーツ内に水が浸入しないようになっている。前記シールゴム７はドライスーツ内への水の浸入を防止するためのものであるから、比較的硬質のゴムを使用し、首に緊密に密着するようになっている。この首へのシールゴムの密着は、飛行中、常時着用していなければならないパイロットにとって、大きなストレスの原因となり、パイロットに負担をかけるという欠点がある。
【０００５】
一方、手首付近の防水のために手首用シールゴムを使用しているが、筒型の先細り形状のシールゴムであり、これも比較的硬質のゴムで、手首に密着することによってドライスーツ内への水の浸入を防止するようにしている（特開平０５−０８５４７３号）。この場合も、ドライスーツ着用時には常時手首を締めつけられている状態になり、操縦動作の妨げにもなるという欠点があった。
【特許文献１】特開平０５−０８５４７３号
【発明の開示】
【発明が解決しようとする課題】
【０００６】
本発明は上述のような課題に鑑みなされたものであり、入水以前には、首あるいは手首が締めつけられることなく、着水時には水のドライスーツへの浸入が防止可能なドライスーツを提供することを目的とする。
【課題を解決するための手段】
【０００７】
上述の課題を解決するため、本発明によるドライスーツは、身体部分を被うドライスーツ本体と前記ドライスーツ本体の手首部分および首部分より水が浸入しないように前記手首部分および首部分に設けられたシールゴムとを備えたドライスーツにおいて、前記首部分の首用シールゴムは、開口部の内径が被着者の首の太さより若干大きな径を備えた首装着部と前記首装着部の外周に前記首装着部を首に密着させるための緊締バンドを設けたことを特徴とする。
【発明の効果】
【０００８】
本発明のドライスーツによれば、被装着者の首周りより若干径の大きな首装着部を備え、かつ前記首装着部を密着させるための緊締バンドを前記首装着部の外周に設けている。このため非常事態ではない場合には、前記緊締バンドを緩めておき、非常事態になった場合には、前記緊締バンドを締めて首装着部の径を小さくし、前記首装着部を首に密着させることができる。このため、パイロットの操縦時には首装着部と首間に若干の余裕があるため、首を比較的容易に回すことができ、また密着によるストレスを軽減し、更にドライスーツの装着を容易にすることができる。また、緊締バンドを締めていた場合においても、前記緊締バンドは喉仏あるいは喉仏の下で締結されているため、首を比較的容易に回すことができる。非常時には前記緊締バンドを締めることにより首周りからのドライスーツ内への浸水を防止することができる。
【発明を実施するための最良の形態】
【０００９】
本発明によるドライスーツによれば、首用シールゴムは、被着者の首より若干太い内径を有する開口部を有し、かつ前記首に密着可能な首装着部を備え、前記首装着部の外周に前記首装着部を首に密着させるための緊締バンドを設けたことを特徴とする。
【００１０】
本発明による一実施形態によれば、前記首用シールゴムは截頭円すい状の取付部と前記取付部に接続する傾斜の小さい截頭円すい状のあるいは円筒状の首装着部を備えていることを特徴とする。
【００１１】
また、前記緊締バンドは首装着部の外周に全周にわたって設けられており、前記バンドの一方の端部は前記首装着部の外周に固定されており、他方の自由端内面、および一方の端部の外面に設けられた面ファスナーによって締結可能になっていることを特徴としている。
【００１２】
さらに、本発明による他の好ましい形態では、首周りの自由度を向上させるため、前記首装着部は顎部分の直下に達する程度の高さであり、前記緊締バンドは被着者の喉仏付近または咽仏の下を捲回可能になっていることを特徴としている。
【００１３】
本発明による好ましい他の形態では、手首用のシールゴムにも前記首用のシールゴムと同様の構造を採用しており、この手首用シールゴムは、外周に前記首装着部を首に密着させるための緊締バンドを設けた手首装着部を備え、前記手首装着部の開口部の内径は被着者の手首の太さより若干大きな径を備えていることを特徴としている。
【００１４】
このような前記手首用シールゴムの一形態として、円筒状の取付部と手首に密着するためのほぼ截頭円筒状の手首装着部を備えている。
【００１５】
さらに、前記緊締バンドの一方の端部は手首装着部に固定されており、バンド止めを挿通して伸長する他方の自由端を折り返して、面ファスナーで貼着することにより手首装着部を手首に密着可能にしていることを特徴としている。
【００１６】
好ましい実施形態では、首および手首への密着性を確保し、また装着時の不快感を解消するため本発明による前記首用シールゴムおよび手首用シールゴムの硬度は６程度（ＳＲＩＳ  Ｃ）であることを特徴とする。
【００１７】
更に他の形態では、ドライスーツ本体を損なうことなく、シールゴムの取り換えを容易にするため、ドライスーツ本体に設けられた取付ゴムシートに前記取付部を接着剤により貼着することにより首用又は手首用シールゴムを前記ドライスーツ本体に取り付けることを特徴とする。
【実施例】
【００１８】
本発明のドライスーツは、図１に示すように手および顔を除く身体全体を被うドライスーツ本体１を備えており、前記ドライスーツ本体１は難燃性および防水性の３層布より構成されている。前記ドライスーツ本体の足部分にはドライスーツ本体１と一体的な靴部分１１が備えられている。
【００１９】
本発明において、前記ドライスーツ本体１の首部分および手首部分には首用シールゴム２および手首用シールゴム３が設けられた構造になっている。
【００２０】
首用シールゴム２は、図２に示すように、ドライスーツ本体１に取り付けるための截頭円すい状の取付部２１と首周りに密着可能なように設けられた同様に傾斜の小さい截頭円すい状のあるいは円筒状の首装着部２２を備えている。そして前記首装着部２２の開口部２２１の内径Ｌ１は装着者の首の太さよりも若干大きく形成されている。前記首装着部２２の周囲には前記首装着部２２の内径を小さくし、被着者の首に密着するように締着可能な緊締バンド２３が設けられている。この緊締バンド２３は前記首装着部２２全周にわたって設けられており、前記バンドの一方の端部は前記首装着部２２の外周に固定されており、他方の自由端内面、および一方の端部の外面に設けられた面ファスナー２４、２４’によって締結可能になっている。前記首装着部２２は、従来のものに比較して低くなっており、顎部分の直下に達する程度（従来は顎部分の下部に達する高さである）であるのが好ましい。また、前記緊締バンド２３は被着者の喉仏付近または喉仏の下を捲回可能になっている。このように首装着部２２を顎直下に達するくらいに低くすることによって被着者の首の運動を楽にかつ自由にすることができ、緊締バンド２３を喉仏辺りまたは喉仏の下にすることによって、同様に首の運動を楽にすることができる。
【００２１】
前記取付部２１は、図３および図４に示すように、ドライスーツ本体１の首周り部分１２の内側に固定されている。図４に示すように前記首周り部分１２の内側に接着剤層４を介して設けられたゴム製の取付ゴムシート５に同様な接着剤層４’を介して前記取付部２１を接着することによって取り付けられている。前記接着剤層４’は前記取付部２１の縁部を回り込み、前記取付部２１の内側部分を被って形成されており、前記縁部および内側の前記接着剤層４’に同様な取付ゴムシート５’を設けることによって、取付部よりの防水を向上させている。
【００２２】
前記ドライスーツ本体１の首周り部分１２の内側に取付ゴムシート５を設け、取付部２１と接着した構造を取ることにより、前記接着剤層４’を溶剤で溶解することにより容易にシールゴムを取り外すことができ、ドライスーツ本体１を損傷することなく、前記シールゴムを取り換え可能になる。
【００２３】
図５は、手首部分の手首用シールゴム３を示す図であるが、この図より明らかなように、手首用シールゴム３は円筒状の取付部３１と手首に密着するためのほぼ截頭円筒状の手首装着部３２を備えている。そして前記手首装着部３２の開口の径はＬ２は、被着者の手首の太さより若干大きくなっている。前記手首装着部３２の外側には前記手首装着部３２を緊締して手首に密着させるための緊締バンド３３が設けられている。この緊締バンド３３の一方の端部はドライスーツ本体１の袖口１３に固定されており、そして前記袖口１３に取り付けられたバンド通し３４を挿通した自由端３３１を他端として備えている。前記緊締バンド３３の外側表面には面ファスナー３５が設けられており、前記緊締バンドの自由端３３１側を引っ張り、バンド通し３４を通して前記面ファスナー３５に貼着することによって手首を緊締し、手首装着部３２を手首に密着させることができる。前記手首用シールゴム３は、首用シールゴムと同様に、袖口１３の内側に設けられた取付ゴムシート６を介して接着剤で固定されている。このため、この手首用シールゴムを交換する必要があった場合にも、容易に交換可能である。
【００２４】
このような首用および手首用のシールゴム２，３の硬度は６程度（ＳＲＩＳ  Ｃ）であるのが好ましい。柔らかすぎると強度に問題を生じ、一方、硬すぎると緊締バンドにより首または手首を締めたとき、シールゴムにしわが生じ、首および手首への密着が不完全になる恐れがあり、また長時間の着用時には不快感を与える恐れがあるからである。
【００２５】
上記実施例においては、手首用シールゴム３を備えたドライスーツを開示したが、首用シールゴムのみを使用しても同様な効果が生じることは明らかである。
【００２６】
本発明によるドライスーツを使用するに当たっては、ドライスーツを着用した後、長時間の待機あるいは飛行中は緊締バンド２３および３３を解放状態にしておく。そして緊急自体で着水したときには、前記緊締バンド２３を引っ張って、面ファスナー２４’、２４を貼着することにより首装着部２２が首に密着し、ドライスーツ内への水の浸入を防止できる。
【００２７】
一方、手首にも手首用シールゴムを使用している場合には、緊締バンド３３の自由端３３１近辺部分を引っ張り、バンド通し３４で折り返して、面ファスナー３５で貼着することにより、手首装着部は手首に密着し、ドライスーツ内への水の浸入を防止できる。
【００２８】
上記実施例では、パイロット用のドライスーツを記載したが、これに限定されるものではなく、レジャー用のドライスーツあるいは一般の耐水服、防水服などにも応用できることは明らかである。
【産業上の利用可能性】
【００２９】
本発明のドライスーツによれば、被装着者の首周りより若干径の大きな首装着部を備え、かつ前記首装着部を密着させるための緊締バンドを前記首装着部の外周に設けている。このため非常事態ではない場合には、前記緊締バンドを緩めておき、非常事態になった場合には、前記緊締バンドを締めて首装着部の径を小さくし、前記首装着部を首に密着させることができる。このため、パイロットの操縦時には首装着部と首間に若干の余裕があるため、首を比較的容易に回すことができ、また密着によるストレスを軽減し、更にドライスーツの装着を容易にすることができる。一方、非常時には前記緊締バンドを締めることにより首周りからのドライスーツ内への浸水を防止することができる。また手首用シールゴムを使用することにより、長時間の着床によるストレスを更に軽減可能である。
【図面の簡単な説明】
【００３０】
【図１】本発明のドライスーツの正面概略図。
【図２】首用シールゴムの斜視図。
【図３】首用シールゴムをドライスーツ本体に取り付けたときの斜視図。
【図４】首用シールゴムのドライスーツ本体への取付構造を示す断面図。
【図５】手首用シールゴムを示す説明図。
【図６】従来のシールゴムの斜視図。
【符号の説明】
【００３１】
１      ドライスーツ本体
１１    靴部分
１２    首周り部分
１３    袖口
２      首用シールゴム
２１    取付部
２２    首装着部
２３    緊締バンド
２４    面ファスナー
３      手首用シールゴム
３１    取付部
３２    手首装着部
３３    緊締バンド
３４    バンド通し
３５    面ファスナー
４    接着剤層
５    取付ゴムシート
６    取付ゴムシート
【図１】
2006299483.tif 000003
【図２】
2006299483.tif 000004
【図３】
2006299483.tif 000005
【図４】
2006299483.tif 000006
【図５】
2006299483.tif 000007
【図６】
2006299483.tif 000008